(57)【要約】      （修正有）【課題】  使用者が、使用の過程でその好みと便宜に応じて分解と合体を繰り返すことにより、無駄なく使え、かつ又誕生する造形を楽しむことができる消しゴムを提供する。【解決手段】消しゴムは、１辺１０ｍｍ〜２０ｍｍ程度の１塊りの立方体の消しゴムに、任意の正方形の面の中心より立方体の重心方向に向けて、この立方体の辺の１／３〜１／４程度の直径の円筒形の１つの穴を反対の面まで貫通した形状である。消しゴム２つを、それぞれの消しゴムの円筒形の穴の円部分を欠く形状の正方形の面同士を合わせて誕生する円筒形の穴に、この穴の直径で長さが消しゴムの１辺の長さの２倍の円筒形の棒状の消しゴム１本を棒状の消しゴムの側面が隠れるまで挿入することにより先の消しゴム２つを結合する。【選択図】図２
0003166736.tif 000002
【実用新案登録請求の範囲】
【請求項１】
１辺１０ｍｍ〜２０ｍｍ程度の１塊りの立方体の消しゴムに任意の面の中心より立方体の重心に向けて垂直方向に、この立方体の辺の１／３〜１／４程度の直径の円筒形の穴を開けた図１に示す１ユニットの消しゴム「１」
【請求項２】
２ユニットの消しゴムが、それぞれの円筒形の穴の円の中心軸が共有される形で外側の１表面同士が１００％合わさり１体となる形で、１つの円筒形の穴を形成する図２の形状の一塊りの消しゴム「２」
【請求項３】
２ユニットの消しゴムのそれぞれの円筒形の穴が円の中心軸方向で相互に同一平面上で９０度の角度を有する関係で外側の１表面同士が１００％合わさり１体となり２つの円筒形の穴を形成する図３の形状の一塊りの消しゴム「３」
【請求項４】
２ユニットの消しゴムのそれぞれの円筒形の穴が相互に円の中心軸方向で同一平面上で並行関係となるように外側の１表面同士が１００％合わさり１体となり２つの円筒形の穴を形成する図４の形状の一塊りの消しゴム「４」
【請求項５】
２ユニットの消しゴムがそれぞれの円筒形の中心軸方向で同一平面上に存在しない、ねじれの位置関係にあるように外側の１表面同士が１００％合わさり１体となり２つの円筒形の穴を形成する図５の形状の一塊りの消しゴム「５」
【請求項６】
図１に示す消しゴム「１」２つ（２ユニット）を１本のスティック「６ｂ」により合体した図８に示す合体した消しゴム
【請求項７】
図１に示す消しゴム「１」１つ（１ユニット）と図３に示す消しゴム「３」１つとを１本のスティック「６ｂ」により合体させ、予備のスティック「６ａ」を備えた図１０に示す消しゴム。
【請求項８】
図１に示す消しゴム「１」３つ（３ユニット）を１本のスティック「６ｃ」により合体した図１２に示す消しゴム
【請求項９】
図４に示す消しゴム「４」２つを２本のスティック「６ｂ」により合体した図１４に示す消しゴム
【請求項１０】
図２に示す消しゴム「２」２つを１本のスティック「６ｄ」により合体した図１６に示す消しゴム
【請求項１１】
図３に示す消しゴム「３」２つと図４の消しゴム「４」１つとを３本のスティック「６ｂ」により合体した図１８に示す消しゴム
【請求項１２】
図５に示す消しゴム「５」３つを３本のスティック「６ｂ」により合体した図２０に示す消しゴム
【請求項１３】
図３に示す消しゴム「３」４つを４本のスティック「６ｂ」により合体した図２２に示す消しゴム
【請求項１４】
図３に示す消しゴム「３」４つと図１に示す消しゴム「１」１つ（１ユニット）とを「６ｂ」のスティック４本と「６ａ」のスティック１本とにより合体した図２４に示す消しゴム
【考案の詳細な説明】
【技術分野】
【０００１】本考案は、分解と組み立てが容易な消しゴムに関するものである。
【背景技術】
【０００２】従来の消しゴムは、長方形の標準タイプ、フィギュアをかたどったもの、角・辺の使い勝手の良いもの、一部が可動のものなどさまざま販売されているが、いずれも原形そのままの使い方しかできず、最後には原形を損なった時点で、不要なものとして廃棄されており、消しゴムを使うことの喜びが損なわれていた。
【考案の概要】
【考案が解決しようとする課題】
【０００３】以上のように従来の消しゴムでは消費者が、提供された消しゴムの形状を変えることができず、この点で使い勝手が軽視され、その結果、提供された原型が使用の過程で損なわれた時点（丸みを帯びた形状になる時など）で、廃棄されることが多かった。当考案の解決しようとする課題は、使用の過程で消しゴムの原型そのものを使用者の好みにより組み替えることを可能にすること。これにより適宜無駄なく多くの角と辺を使い、かつ又、変形する（丸みを帯びる）造形を廃棄するのではなく、さらにこの消しゴムを分解と合体をすることより、誕生する造形を楽しみながら、消しゴムを無駄なく極限まで使うことを可能にする消しゴムを提供することである。
【課題を解決するための手段】
【０００４】上記目的を達成するため、本考案による消しゴムは、一塊りの立方体の消しゴムを、図１のように１辺１０ｍｍ〜２０ｍｍ程度の立方体の任意の面の中心より立方体の重心に向けて垂直方向に、この立方体の辺の１／３〜１／４程度の直径の円筒形の穴を開けたもの（以下、明瞭化のために１ユニットの消しゴムと呼ぶ）と、これと同形の２ユニットの消しゴムを図２、図３、図４、図５のように、それぞれの円筒形の穴の円の中心軸の方向の組み合わせの種類別に、外側の１表面同士が１００％合わさって１体となる形の４種類の一塊りの消しゴム、（４種類の消しゴム、すなわち、▲１▼前述の２ユニットの消しゴムが、それぞれの円筒形の穴の円の中心軸が共有される形で合わさり、１つの円筒形の穴を形成する図２の形状の消しゴム、▲２▼前述の２ユニットの消しゴムのそれぞれの円筒形の穴が円の中心軸方向で相互に同一平面上で９０度の角度を有する関係となり２つの円筒形の穴を形成する図３の形状の消しゴム、▲３▼前述の２ユニットの消しゴムのそれぞれの円筒形の穴が相互に円の中心軸方向で同一平面上で並行関係となる２つの円筒形の穴を形成する図４の形状の消しゴム、及び▲４▼前述の２ユニットの消しゴムがそれぞれの円筒形の円の中心軸方向では同一平面上に存在しないねじれの位置関係にあり２つの円筒形の穴を形成する図５の形状の消しゴム）、ならびに、これら図１から図５までに示す一塊りの消しゴムを合体するための、図６のような、図１から図５までの消しゴムに施された円筒形の穴の径で、図１に示す消しゴムの一辺の長さの倍数の図６に示すような４種類の消しゴム（以下、スティックと呼ぶ）からなる。なお、スティックはやや硬質の消しゴムで、これをシャープペンシル等にも転用出来るサイズのものを採用すれば、さらに無駄のない使用が期待される。これら、図１〜図５までの消しゴムを、図６に示すスティックにより合体させたものが、図８、図１０、図１２、図１４、図１６、図１８、図２０、図２２、図２４に示す通りの分解と合体ができる消しゴムである。これらの、合体した消しゴムあるいは、これらを構成する図１から図６に示す消しゴムのパーツセットとして提供することにより、消費者は、分解・合体することにより課題を解決することができる。
【考案の効果】
【０００５】これらの手段により提供された消しゴムは、図７の一例に示すように、左側の使用開始時の消しゴム「１」は、上部の角と辺部分を使い丸くなれば、これを分解して（スティックより引き抜いて）、上下を反転して「１−１」のように合体させる。さらに、上部を使った結果「１−１−１」のように球形になったものは、これを分解して（スティックより引き抜いて）軸と垂直方向にカットしてさらに合体させて「１−１−１−１」のような形にして半球状の消しゴムの周辺を使うことができる。このように原型を組み替えて角・辺を無駄なく使う過程で、図８、図１０、図１２、図１４、図１６、図１８、図２０、図２２、図２４のような合体した消しゴムは、そのままでも使えるが、さらに、時宜に応じて図９、図１１、図１３、図１５、図１７、図１９、図２１、図２３、図２６のような造形を生むチャンスを与えてくれる。さらに、スティックをシャープペンシルの付属消しゴムサイズにすれば、シャープペンシル用の消しゴムとしても転用可能である。
【図面の簡単な説明】
【０００６】
【図１】円筒の穴を開けた立方体の消しゴム（１ユニットの消しゴム）を、明瞭化のため実寸の約２倍で示した斜視図である。なお、実寸とは１辺の長さが１０ｍｍから２０ｍｍ程度であり、本図面の作図ではこの１辺の長さを１０ｍｍとした。
【図２】１つの穴を開けた直方体の消しゴムを実寸の約２倍で示した斜視図である。１つの穴の長さは、図１に示す立方体の１辺の長さの２倍である。
【図３】２つの穴を開けた直方体の消しゴムを実寸の約２倍で示した斜視図である。
【図４】２つの穴を開けた直方体の消しゴムを実寸の約２倍で示した斜視図である。
【図５】２つの穴を開けた直方体の消しゴムを実寸の約２倍で示した斜視図である。
【図６】図１〜図５までの消しゴムを合体するための４本のスティックを実寸の約２倍で示した斜視図である。
【図７】左より右に、順次消しゴムの使われ方の変化の一例を示したほぼ実寸大の正面図である。左が原型で、使用するに従い右のように変形する。
【図８】図１に示す消しゴム２つを１本のスティック（６ｂ）により合体した消しゴムのほぼ実寸大を示した正面図である。
【図９】図８（前図）の消しゴムを使用した結果誕生した、やや誇張のある「傘をさす女の人」の造形の一例を示した正面図である。なお、図９上部の傘と下部のスカートに相当する部分は、図７の「１−１−１」を刃物などで二分して図７の「１−１−１−１」の通りの形にしたものを使用した。
【図１０】図１の消しゴム１つと図３の消しゴム１つを１本のスティック（６ｂ）により合体した消しゴムのほぼ実寸大を示した正面図である。なお、右側に挿入されている１本のスティック（６ａ）は、予備である。
【図１１】図１０（前図）の消しゴムを使用した結果誕生したやや誇張のある「アヒル（動物）」の造形の一例を示した正面図である。
【図１２】図１の消しゴム３つを１本のスティック（６ｃ）により合体した消しゴムのほぼ実寸大を示した正面図である。
【図１３】図１２（前図）の消しゴムを使用した結果誕生したやや誇張のある「串団子」の造形の一例を示した正面図である。
【図１４】図４の消しゴム２つを２本のスティック（６ｂ）により合体した消しゴムのほぼ実寸大を示した正面図である。
【図１５】図１４（前図）の消しゴムを使用した結果誕生したやや誇張のある「ヒナ人形」の造形の一例を示した正面図である。なお、造形の製作過程で図４の消しゴム１つを刃物等で２等分して、図１の消しゴム２つとして使った。
【図１６】図２の消しゴム２つを１本のスティック（６ｄ）により合体した消しゴムのほぼ実寸大を示した正面図である。
【図１７】図１６（前図）の消しゴムを使用した結果誕生した、やや誇張のある「鉛筆タイプの消しゴム」の造形を使用している様子の一例を示した斜視図である。
【図１８】図３の消しゴム２つと図４の消しゴム１つとを３本のスティック（６ｂ）により合体した消しゴムのほぼ実寸大を示した正面図である。
【図１９】図１８（前図）の消しゴムを使用した結果誕生したやや誇張のある「ネス湖の恐竜」の造形の一例を示した正面図である。なお、恐竜の首と胴に相当する部分は、合体したスティックの軸を中心にして３６０度回転する。
【図２０】図５の消しゴム３つを３本のスティック（６ｂ）により合体した消しゴムのほぼ実寸大を示した斜視図である。隠れ線は省略して示した。
【図２１】図２０（前図）の消しゴムを使用した結果誕生したやや誇張のある「どこから見てもウサギ（動物）」の造形の一例を示した正面図である。なお、隠れ線は省略した。
【図２２】図３の消しゴム４つを４本のスティック（６ｂ）により合体した消しゴムのほぼ実寸大を示した正面図である。
【図２３】図２２（前図）の消しゴムを使用した結果誕生したやや誇張のある「２匹の犬」の造形の一例を示した正面図である。
【図２４】図３の消しゴム４つと図１の消しゴム１つを６ｂのスティック４本と６ａのスティック１本とにより合体した消しゴムのほぼ実寸大を示した斜視図である。中心にある図１と同じ消しゴムは、これにスティックを挿入することによりこの立体が少し膨れるために周囲の立体の面と摩擦力により合体される。なお、隠れ線は省略して示した。
【図２５】図２４（前図）の消しゴムを使わずに（すり減らさずに）そのまま組み直して合体させた結果誕生する造形の一例を、次の図２６の造形の一例と比較するために示した斜視図である。なお、隠れ線は省略してある。
【図２６】図２４（前々図）の消しゴムを使用した結果誕生した誇張した「ユニコーン（一角獣）」の一例の斜視図を示したものである。なお、隠れ線は省略、形状を強調するために影線を付けて示した。
【考案を実施するための形態】
【０００７】  図１〜図５までの消しゴムのパーツを図６のスティックを穴に挿入することにより合体させて図８、図１０、図１２、図１４、図１６、図１８、図２０、図２２、図２４のような、通常市販されているような形で提供するか、あるいは図１〜図６までの消しゴムを図８、図１０、図１２、図１４、図１６、図１８、図２０、図２２、図２４に示す合体した消しゴムのパーツのセットとして提供する。なお、図６の合体用のスティックは、図１〜図５までの消しゴムの穴に挿入するため、やや堅めの崩れにくいものを採用する。また、このスティックは、シャープペンシルに付属する消しゴムの径と同じとしてこれに転用可能なものとする。
【産業上の利用可能性】
【０００８】  この消しゴムの製造方法としては、図１〜図５の消しゴムに関しては立方体、ならびにこの２倍の大きさの直方体の製造技術は完成しており、単にこれに旋盤等により穴を開ける方法、あるいは、成型等の方法により製造は容易である。また、図６に関する消しゴムについても、シャープペンシル用、ノック式消しゴムとして既に生産・販売されている。デザイナー、クリエーターなど、想像性を重視する技術者のみならず、消しゴムを使う人々一般人の利用が期待される。なお、他の産業分野の利用可能性としては、建築・土木材料の分野で、無駄のない再利用可能な資材としての応用が期待される。
【符号の説明】
【０００９】  １  図１の消しゴム。これを組み合わせて一体の消しゴムの塊りとしたものが図２〜図５の消しゴム「２」、「３」、「４」、「５」である。
１−１  図７で、「１」の上側の角と辺を半球状になるまで使用した後、これを分解して（取り外して）上下、反転して再度合体させた消しゴム。
１−１−１  図７で、「１−１」をさらに角と辺を半球状になるまで使用した消しゴム。
１−１−１−１  図７で、「１−１−１」を図面上で横に刃物等で半分に割った消しゴムを再度合体した消しゴム
１−１−１−１−１  図７で、「１−１−１−１」の円の周辺部分を使いきった消しゴム
２  一塊りの直方体に円筒形の１つ穴の開いた消しゴム。図１の消しゴム「１」を２個組み合わせた形状。
３  一塊りの直方体に円筒形の２つ穴の開いた消しゴム。図１の消しゴム「１」を２個組み合わせた形状。
４  一塊りの直方体に円筒形の２つ穴の開いた消しゴム。図１の消しゴム「１」を２個組み合わせた形状。
５  一塊りの直方体に円筒形の２つ穴の開いた消しゴム。図１の消しゴム「１」を２個組み合わせた形状。
６ａ  図１の立方体の１辺の長さのスティック
６ｂ  図１の立方体の１辺の長さの２倍のスティック
６ｃ  図１の立方体の１辺の長さの３倍のスティック
６ｄ  図１の立方体の１辺の長さの４倍のスティック
【図１】
0003166736.tif 000003
【図２】
0003166736.tif 000004
【図３】
0003166736.tif 000005
【図４】
0003166736.tif 000006
【図５】
0003166736.tif 000007
【図６】
0003166736.tif 000008
【図７】
0003166736.tif 000009
【図８】
0003166736.tif 000010
【図９】
0003166736.tif 000011
【図１０】
0003166736.tif 000012
【図１１】
0003166736.tif 000013
【図１２】
0003166736.tif 000014
【図１３】
0003166736.tif 000015
【図１４】
0003166736.tif 000016
【図１５】
0003166736.tif 000017
【図１６】
0003166736.tif 000018
【図１７】
0003166736.tif 000019
【図１８】
0003166736.tif 000020
【図１９】
0003166736.tif 000021
【図２０】
0003166736.tif 000022
【図２１】
0003166736.tif 000023
【図２２】
0003166736.tif 000024
【図２３】
0003166736.tif 000025
【図２４】
0003166736.tif 000026
【図２５】
0003166736.tif 000027
【図２６】
0003166736.tif 000028
【手続補正書】
【提出日】平成22年12月27日(2010.12.27)
【手続補正１】
【補正対象書類名】実用新案登録請求の範囲
【補正対象項目名】全文
【補正方法】変更
【補正の内容】
【実用新案登録請求の範囲】
【請求項１】
１辺１０ｍｍ〜２０ｍｍ程度の１塊りの立方体の消しゴムに、任意の正方形の面の中心より、その面に対して鉛直方向、すなわち立方体の重心方向に向けて、この立方体の辺の１／３〜１／４程度の直径の円筒形の１つの穴を反対の面まで貫通した形状の消しゴム（以下の請求項で「１ユニットの消しゴム」と呼ぶ）
【請求項２】
請求項１記載の１ユニットの消しゴム２つが、それぞれの消しゴムの円筒形の穴の円部分を欠く形状の正方形の面同士が１００パーセント合わさり１体となり、以て１つの円筒形の穴を形成する１対１対２の辺の比率を有する直方体状の一塊りの消しゴム
【請求項３】
請求項１記載の１ユニットの消しゴム２つが、この２つうちの片方の消しゴムの円筒形の穴の円部分を欠く形状の正方形の面ともう片方の消しゴムの円筒形の穴の円部分を欠かない正方形そのものの面との２つの面同士が円筒形の穴の円部分を除いて１００％合わさり一体となり、以て２つの円筒形の穴の同心軸の延長線同士が互いに直角に交わる関係となる２つの円筒形の穴を形成する１対１対２の辺の比率を有する直方体状の一塊りの消しゴム
【請求項４】
請求項１記載の１ユニットの消しゴム２つにつき、この２つの消しゴムの円筒形の穴の円部分を欠かない正方形そのものの面同士が、２つの消しゴムの円筒形の穴の同心軸が同時に存在する同一平面上に於いてお互いに並行となる関係で１００％合わさり１体となり、以て２つの円筒形の穴を形成する１対１対２の辺の比率を有する直方体の形状の一塊りの消しゴム
【請求項５】
請求項１記載の１ユニットの消しゴム２つにつき、この２つの消しゴムの円筒形の穴の円部分を欠かない正方形そのものの面同士が、２つの消しゴムの２つの円筒形の穴の同心軸が同時に同一平面上に存在しないねじれの位置となる関係で１００％合わさり１体となり、以て２つの円筒形の穴を形成する１対１対２の辺の比率を有する直方体の形状の一塊りの消しゴム
【請求項６】
請求項１記載の１ユニットの消しゴム２つを、それぞれの消しゴムの円筒形の穴の円部分を欠く形状の正方形の面同士を１００パーセント合わせ、これにより誕生する２つの消しゴムの円筒形の穴の長さを加えた長さの１つの円筒形の穴に、この穴の直径で長さがいずれかの消しゴムの１辺の長さの２倍の円筒形の棒状の消しゴム１本を用いて、この１本の棒状の消しゴムの側面が隠れるまで挿入することにより先の消しゴム２つを結合し、以て当請求項で用いる消しゴムの素材以外の空隙の無い１対１対２の辺の比率を有する直方体と成した消しゴム
【請求項７】
請求項１記載の１ユニットの消しゴム１つと請求項３記載の消しゴム１つとを、前者の消しゴムの円筒形の穴の円部分を欠く形状の正方形の面と後者の消しゴムの長辺方向の円筒形の穴の円部分を欠く形状の正方形の面同士とを１００パーセント合わせ、これにより誕生する両者の消しゴムの円筒形の穴の長さを加えた長さの１つの円筒形の穴に、この穴の直径で長さが前者の消しゴムの１辺の長さの２倍の円筒形の棒状の消しゴム１本を用いて、この１本の棒状の消しゴムの側面が隠れるまで挿入することにより先の消しゴム２つを結合し、かつ又結合を完了した後者（請求項３記載の消しゴム）の短辺方向の空いた穴にこの穴の直径で前者の消しゴムの１辺の長さの円筒形の棒状の消しゴム１本を用いて、この１本の棒状の消しゴムの側面が隠れるまで挿入し、以て当請求項で用いる消しゴムの素材以外の空隙の無い１対１対３の辺の比率を有する直方体と成した消しゴム
【請求項８】
請求項１記載の１ユニットの消しゴム３つを、それぞれの消しゴムの円筒形の穴の円部分を欠く形状の正方形の面同士を２箇所で１００パーセント合わせ、これにより誕生する３つの消しゴムの円筒形の穴の長さを加えた長さの１つの円筒形の穴に、この穴の直径で長さがいずれかの消しゴムの１辺の長さの３倍の円筒形の棒状の消しゴム１本を用いて、この１本の棒状の消しゴムの側面が隠れるまで挿入することにより先の消しゴム３つを結合し、以て当請求項で用いる消しゴムの素材以外の空隙の無い１対１対３の辺の比率を有する直方体と成した消しゴム
【請求項９】
請求項４記載の消しゴム２つを、それぞれの消しゴムの円筒形の２箇所の穴の円部分を欠く長方形の形状の面同士を１００パーセント合わせ、これにより誕生する２つの消しゴムの円筒形の穴の長さを加えた長さの２つの円筒形の穴に、この穴の直径で長さがいずれかの消しゴムの短辺の長さの２倍の円筒形の棒状の消しゴム２本を用いて、この２本の棒状の消しゴムの側面が隠れるまで挿入することにより先の消しゴム２つを結合し、以て当請求項で用いる消しゴムの素材以外の空隙の無い１対２対２の辺の比率を有する直方体と成した消しゴム
【請求項１０】
請求項２記載の消しゴム２つを、それぞれの消しゴムの円筒形の穴の円部分を欠く正方形の形状の面同士を１００パーセント合わせ、これにより誕生する２つの消しゴムの円筒形の穴の長さを加えた長さの１つの円筒形の穴に、この穴の直径で長さがいずれかの消しゴムの長辺の長さの２倍の円筒形の棒状の消しゴム１本を用いて、この１本の棒状の消しゴムの側面が隠れるまで挿入することにより先の消しゴム２つを結合し、以て当請求項で用いる消しゴムの素材以外の空隙の無い１対１対４の辺の比率を有する直方体と成した消しゴム
【請求項１１】
請求項３記載の消しゴム２つと請求項４記載の消しゴム１つとを、これら３つの消しゴム全ての穴の同心軸が同一平面上に存在する形を保ちながら前者の２つの消しゴムの長辺方向の円筒形の穴の円部分を欠く２つの正方形の形状を並べた１つの長方形状の面と後者の消しゴムの短辺方向の円筒形の２つの穴の円部分を欠く形状の長方形の面同士及び前者の２つの消しゴムの短辺方向の円筒形の穴の円部分を欠く形状の２つの長方形の面同士とを同時に１００パーセント合わせ、これにより誕生する３つの消しゴムのもとの２つの円筒形の穴の２倍の長さを持つ３つの円筒形の穴に、この穴の直径で長さが前者の消しゴムの短辺の長さの２倍の円筒形の棒状の消しゴム３本を用いて、この３本の棒状の消しゴムの側面が隠れるまで挿入することにより先の消しゴム３つを結合し、以て当請求項で用いる消しゴムの素材以外の空隙の無い１対２対３の辺の比率を有する直方体と成した消しゴム
【請求項１２】
請求項５記載の消しゴム３つを、まずこのうちの２つの消しゴムのそれぞれの１つの円筒形の穴の円部分を欠く形状の長方形の面同士を１００パーセント合わせ、これにより誕生する両者の消しゴムの円筒形の穴の長さを加えた２倍の長さの１つの円筒形の穴に、この穴の直径で長さが合わさった長方形状の面の短辺の長さの２倍の円筒形の棒状の消しゴム１本を用いて、この１本の棒状の消しゴムの側面が隠れるまで挿入することにより先の消しゴム２つを結合し、さらにこの挿入した棒状の消しゴムを軸にして、この結合した消しゴム２つのお互いに接する面について、この片方の消しゴムの長辺の２分の１の長さの１つの辺ともう片方の消しゴムの１つの短辺同士とが共有される辺が２組できるようにいずれか片方の消しゴムを９０度回転した状態の立体を形成し、さらに又もう一つの請求項５記載の消しゴム１つをこの消しゴムの２つの穴を有する面が既に形成された立体の消しゴムの残された２つの穴を有する面と両者の穴が同心軸を共有して２つのそれぞれの残された円筒形の穴の２倍の長さの穴となるように合わせ、この２つの２倍の長さの穴にこれらの穴の直径で長さが何れかの消しゴムの短辺の長さの２倍の円筒形の棒状の消しゴム２本を用いて、これら２本の棒状の消しゴムの側面が隠れるまで挿入することにより３つの消しゴムを結合し、以て１辺が請求項５記載の消しゴムの短辺の２倍の立方体について、この２対２対２の辺の比率を有する立方体の内でこの対極にある頂角を共有する１対１対１の辺の比率を持つ立方体２つを欠く当請求項で用いる消しゴムの素材以外の空隙の無い立体と成した消しゴム
【請求項１３】
請求項３記載の消しゴム４つのうち２つを、これら２つの消しゴム全ての穴の同心軸が同一平面上に存在する形を保ちながらこれら２つの消しゴムの円筒形の穴の円部分を欠く正方形の形状の面の穴に、これらの消しゴムの穴の直径で長さがこれらの消しゴムの短辺の長さの２倍の円筒形の棒状の消しゴム１本を用いて、この１本の棒状の消しゴムの側面が隠れるまでそれぞれの穴に挿入することにより２つの消しゴムの円筒形の穴の円部分を欠く正方形の形状の面同士１００パーセント合わさるように結合し、さらに残った２つの消しゴムも同様に結合して、以て２つの１対１対４の辺比を有する直方体状のそれぞれ２つの穴を有する２つの消しゴムと成し、さらにこの２つの消しゴム同士を、長辺方向の面同士が短辺方向の２つの穴同士がお互いに同心軸を形成するように１００パーセント合わせてこれにより形成される２つのもとの消しゴムの短辺方向の穴の２倍の長さを有する円筒状の穴に、直径がこれらの穴と同じで長さが２つの消しゴムの短辺の２倍の長さの円筒形の棒状の消しゴム２本を用いて、この棒状の消しゴム２本をこれら２本の棒状の消しゴムの側面が隠れるまで挿入することにより結合して、以て当請求項で用いる消しゴムの素材以外の空隙の無い１対２対４の辺の比率を有する直方体と成した消しゴム
【請求項１４】
請求項３記載の消しゴム４つを、これら４つの消しゴム全ての穴の同心軸が同一平面上に存在する形を保ちながら１つの消しゴムの長辺方向の穴ともう１つの消しゴムの短辺方向の穴の同心軸が共通となるように、かつ又全体の形状が「ロ」の字になるようにそれぞれの面同士を４か所で合わせることにより形成される元の消しゴムの穴の長さの２倍の４本の穴を有する造形の４か所の穴に、これらの消しゴムの穴の直径で長さがこれらの消しゴムの短辺の２倍の長さの円筒形の棒状の消しゴム４本を用いて、これら４本の消しゴムの側面が隠れるまで挿入し４つの消しゴムを結合し、さらに又この結合された「ロ」の字の造形の中心に存在する立方体の空隙に請求項１の消しゴム１つを用いて、この円筒状の穴を有する２つの面が外面に面する方向でこの空隙に穴のない側面が隠れるまで挿入し、さらに又この挿入された消しゴムの穴と同じサイズの棒状の消しゴムをこの消しゴムの側面が隠れるまで挿入することによりこの消しゴムの若干の膨らみにより先の結合された「ロ」の字の消しゴムと結合させ、以て当請求項で用いる消しゴムの素材以外の空隙の無い１対３対３の辺の比率を有する直方体と成した消しゴム